(57)【要約】【課題】  汎用性のある吸着ノズルを使用して部品実装機のスループット向上を図りつつ、供給カセットの供給口との干渉を回避しうる吸着ノズル決定方法等の提供。【解決手段】  部品を基板１２０に実装する部品実装機１００に備えられ、部品を吸着する吸着ノズル１１１を決定する方法であって、前記部品のサイズを取得する部品サイズ取得ステップＳ９０２と、取得した部品サイズと吸着ノズルのサイズを比較し、当該部品を吸着保持することのできる吸着ノズルを選択する吸着ノズル選択ステップＳ９０３と、前記選択した吸着ノズルにおいて、前記供給口の周縁部と干渉しない吸着ノズルを決定する吸着ノズル決定Ｓ９０６ステップとを含む。【選択図】      図１０
2006339531.tif 000002
【特許請求の範囲】
【請求項１】
部品を基板に実装する部品実装機に備えられ、部品を吸着する吸着ノズルを決定する方法であって、
前記部品のサイズを取得する部品サイズ取得ステップと、
取得した部品サイズと吸着ノズルのサイズを比較し、当該部品を吸着保持することのできる吸着ノズルを選択する吸着ノズル選択ステップと、
前記選択した吸着ノズルにおいて、前記部品実装機に部品を供給する供給カセットの供給口の周縁部と干渉しない吸着ノズルを決定する吸着ノズル決定ステップと
を含むことを特徴とする吸着ノズル決定方法。
【請求項２】
さらに、前記供給カセットの供給口のサイズを取得する供給口サイズ取得ステップを含む請求項１に記載の吸着ノズル決定方法。
【請求項３】
前記吸着ノズル選択ステップはさらに、
吸着ノズルの吸着口全体が吸着する部品の吸着面で覆われる場合に、選択する吸着ノズルであると判断する請求項１に記載の吸着ノズル決定方法。
【請求項４】
前記吸着ノズル選択ステップはさらに、
吸着ノズル中心軸から吸着口周縁までの最も長い距離が、吸着する部品の吸着面の中心から吸着面の外縁までの最も短い距離よりも短い場合に選択する吸着ノズルであると判断する請求項１に記載の吸着ノズル決定方法。
【請求項５】
前記吸着ノズル選択ステップはさらに、
取得した部品の体積又は重量が吸着ノズルの吸着能力より大きい場合、当該吸着ノズルを選択から除外する除外ステップを含む請求項１に記載の吸着ノズル決定方法。
【請求項６】
前記供給口サイズ取得ステップは、
あらかじめ供給口サイズが記憶される記録媒体から供給口サイズを取得し、
前記吸着ノズル決定ステップは、
吸着ノズルの中心軸から開口端外周縁までの最も長い距離が、吸着する部品を供給する供給カセットの吸着中心から供給口周縁までの最も短い距離よりも短い場合に干渉しない吸着ノズルであると決定する干渉判断ステップを含む請求項１に記載の吸着ノズル決定方法。
【請求項７】
さらに、吸着ノズル決定ステップで決定した吸着ノズルと電子部品と対応づけた情報を記憶する記憶ステップと、
実装時に、前記情報に基づき電子部品を実際に吸着する吸着ノズルを一つ決定する適用ノズル決定ステップと
を含む請求項１に記載の吸着ノズル決定方法。
【請求項８】
さらに、吸着ノズル決定ステップで決定された吸着ノズルが複数種類ある場合、部品実装機が基板に全部品を実装する際に最も吸着ノズルの交換頻度が低下する吸着ノズルを決定する吸着ノズル最適化ステップを含む請求項１に記載の吸着ノズル決定方法。
【請求項９】
部品を基板に実装する部品実装機に備えられ、部品を吸着する吸着ノズルを決定する方法であって、
前記部品実装機に部品を供給する供給カセットの供給口の周縁部と干渉しない吸着ノズルを決定する吸着ノズル決定ステップ
を含むことを特徴とする吸着ノズル決定方法。
【請求項１０】
部品を基板に実装する部品実装機に備えられる吸着ノズルで、部品を吸着する吸着ノズルを決定する装置であって、
前記部品のサイズを取得する部品サイズ取得手段と、
取得した部品サイズと吸着ノズルのサイズを比較し、当該部品を吸着保持することのできる吸着ノズルを選択する吸着ノズル選択手段と、
前記選択した吸着ノズルにおいて、前記部品実装機に部品を供給する供給カセットの供給口の周縁部と干渉しない吸着ノズルを決定する吸着ノズル決定手段と
を備えることを特徴とする吸着ノズル決定装置。
【請求項１１】
基板に部品を実装する部品実装機であって、
前記部品のサイズを取得する部品サイズ取得手段と
取得した部品サイズに適合する吸着保持用の吸着ノズルを選択する吸着ノズル選択手段と、
前記選択した吸着ノズルにおいて、前記部品実装機に部品を供給する供給カセットの供給口の周縁部と干渉しない吸着ノズルを決定する吸着ノズル決定手段と、
決定された吸着ノズルを用いて部品を吸着し、搬送し、装着する部品実装手段と
を備えることを特徴とする部品実装機。
【請求項１２】
部品を基板に実装する部品実装機に備えられ、部品を吸着する吸着ノズルを決定するプログラムであって、
前記部品のサイズを取得する部品サイズ取得ステップと、
取得した部品サイズと吸着ノズルのサイズを比較し、当該部品を吸着保持することのできる吸着ノズルを選択する吸着ノズル選択ステップと、
前記選択した吸着ノズルにおいて、前記部品実装機に部品を供給する供給カセットの供給口の周縁部と干渉しない吸着ノズルを決定する吸着ノズル決定ステップと
をコンピュータに実行させることを特徴とする吸着ノズル決定プログラム。
【発明の詳細な説明】
【技術分野】
【０００１】
本発明は、複数の吸着ノズルを使い分けて部品を基板に実装する部品実装機に適用される吸着ノズル決定方法などに関する。特に、一つの吸着ノズルで幅広い範囲の部品を吸着保持する場合の吸着ノズル決定方法などに関する。
【背景技術】
【０００２】
従来、電子部品をプリント基板などの基板に実装する部品実装機の市場においては、様々な基板を柔軟に生産できるような生産設備／ラインに対する市場の要請に従い、高速装着機と呼ばれる部品実装機と多機能装着機と呼ばれる部品実装機のそれぞれの機能を併せ持つ、特許文献１に示すような高速多機能部品実装機が登場している。
【０００３】
この高速多機能実装機とは、主として、比較的小型の電子部品を１点当たり高速で装着する高い生産性を特徴とする設備であるとともに、中型から大型のスイッチ・コネクタ等の異型部品を含む電子部品や、ＱＦＰ（Quad Flat Package）、ＢＧＡ（Ball Grid Array）等の比較的大型のＩＣ部品までも装着することができる設備である。すなわち、高速多機能部品実装機は、ほぼすべての種類の電子部品（装着対象となる部品として、比較的小型のチップ抵抗から比較的大型かつ異形のコネクタまで）を装着できるように設計されている。
【０００４】
このような高速多機能部品実装機は、多種類の電子部品を真空吸着用の吸着ノズルで真空吸着し、高速で部品を搬送した上で高精度に基板に部品を装着しなければならないため、多数の吸着ノズルの種類を部品実装機に備えている。そして、図１４に示すような電子部品の形状寸法（電子部品の種類）に合わせて吸着ノズルをきめ細かにひも付けしたデータ（部品ライブラリ）を記憶しておき、基板に電子部品を実装する順番に従い、吸着ノズルも電子部品に適合するように都度交換されている。
【特許文献１】特開平１１−３０７９９５号公報
【発明の開示】
【発明が解決しようとする課題】
【０００５】
市場、特に基板に電子部品を実装し回路基板を生産している生産者においては、さらにスループット（生産性）を向上した部品実装機の登場が望まれており、部品実装機の生産者側は真空吸着力を向上させて電子部品をしっかりと吸着ノズルで保持することにより、より高速に電子部品を搬送しても、電子部品がずれることなく高速かつ高精度で電子部品を実装する部品実装機を実現する試みもなされている。
【０００６】
しかし、電子部品をしっかりと保持するには大型の真空系が必要となるが、この大型で重量のある真空系を高速で動かそうとしても慣性が大きくなるため、高速で動かすのが困難になると言う矛盾が生じる。従って、現状よりもさらに高速に電子部品を搬送することにより高い生産性を備えた部品実装機を実現することは困難になりつつある。
【０００７】
そこで、本願発明者らは、鋭意研究努力の結果、電子部品の種類に対し汎用的に使用できる吸着ノズルを採用することにより、部品の実装時に発生する吸着ノズルの交換頻度を減少させ、吸着ノズルの交換による生産ロス時間を減少させることでスループット向上を図ることを考えた。
【０００８】
すなわち、複数種類の電子部品を１種類の吸着ノズルで汎用的に吸着保持することのできる吸着ノズルを見いだした。
【０００９】
しかし、部品実装機に前記汎用的な吸着ノズルを採用することにより、新たな課題が発生した。つまり、吸着する部品と吸着ノズルの種類との対応関係を電子部品のサイズにのみ依存して決定した場合、部品を供給する供給カセットの供給口周縁部と吸着ノズルとが干渉し、部品を吸着できないなどの吸着ミスが発生するばかりか、吸着ノズル自体が破損する場合がある。
【００１０】
一方、供給カセットの供給口の形状は、部品を供給する際に電子部品がはねてずれたりしないようにできる限り小径とする必要があり、かつ、電子部品の形状に従うことになるため、吸着ノズルとの干渉を回避するためにその大きさを現状より大きくすることは困難である。
【００１１】
この発明は上記問題点に鑑みなされたものであり、汎用性のある吸着ノズルを使用して部品実装機のスループットを確保しつつ、供給カセットの供給口との干渉を回避しうる吸着ノズル決定方法等の提供を目的とする。
【課題を解決するための手段】
【００１２】
上記目的を達成するために、本発明に係る吸着ノズル決定方法は、部品を基板に実装する部品実装機に備えられ、部品を吸着する吸着ノズルを決定する方法であって、前記部品のサイズを取得する部品サイズ取得ステップと、取得した部品サイズと吸着ノズルのサイズを比較し、当該部品を吸着保持することのできる吸着ノズルを選択する吸着ノズル選択ステップと、前記部品実装機に部品を供給する供給カセットの供給口の周縁部と干渉しない吸着ノズルを決定する吸着ノズル決定ステップとを含むことを特徴とする。
【００１３】
さらに、前記供給カセットの供給口のサイズを取得する供給口サイズ取得ステップを含んでも良い。
【００１４】
また、前記吸着ノズル選択ステップはさらに、吸着ノズルの吸着口全体が吸着する部品の吸着面で覆われる場合に、選択する吸着ノズルであると判断するのが望ましい。
【００１５】
さらに、吸着ノズル中心軸から吸着口周縁までの最も長い距離が、吸着する部品の吸着面の中心から吸着面の外縁までの最も短い距離よりも短い場合に選択する吸着ノズルであると判断することが好ましい。
【００１６】
また、前記吸着ノズル選択ステップはさらに、取得した部品の体積又は重量が吸着ノズルの吸着能力より大きい場合、当該吸着ノズルを選択から除外する除外ステップを含むものでも良い。
【００１７】
また、前記供給口サイズ取得ステップは、あらかじめ供給口サイズが記憶される記録媒体から供給口サイズを取得し、前記吸着ノズル決定ステップは、吸着ノズルの中心軸から開口端外周縁までの最も長い距離が、吸着する部品を供給する供給カセットの吸着中心から供給口周縁までの最も短い距離よりも短い場合に干渉しない吸着ノズルであると決定する干渉判断ステップを含むことが望ましい。
【００１８】
さらに、吸着ノズル決定ステップで決定した吸着ノズルと電子部品と対応づけた情報を記憶する記憶ステップと、実装時に、前記情報に基づき電子部品を実際に吸着する吸着ノズルを一つ決定する適用ノズル決定ステップとを含んでも良い。
【００１９】
これにより、汎用性のある吸着ノズルを使用しても、吸着すべき部品を供給する供給カセットの供給口とノズルとの干渉を回避することが可能となる。
【００２０】
さらに、吸着ノズル決定ステップで決定された吸着ノズルが複数種類ある場合、部品実装機が基板に全部品を実装する際に最も吸着ノズルの交換頻度が低下する吸着ノズルを決定する吸着ノズル最適化ステップを含むことが望ましい。
【００２１】
これにより、吸着ノズルを汎用化することで基板生産時のノズル交換回数が削減できスループットが向上する。
【００２２】
なお、上記目的は、前記ステップを実現する手段を備える吸着ノズル決定装置や、それらを備えた部品実装機としても達成できる。
【００２３】
また、前記ステップをコンピュータに実行させる吸着ノズル決定プログラムとしても達成できる。
【発明の効果】
【００２４】
汎用性のある吸着ノズルを使用して部品実装機のスループット向上を図りつつ、供給カセットの供給口との干渉を回避することができる。
【発明を実施するための最良の形態】
【００２５】
以下、図面を参照しながら本発明の実施の形態を説明する。
【００２６】
（実施の形態１）
以下に説明する実施の形態１は、部品実装機に備えられる吸着ノズル決定装置が基板に装着する電子部品を対象とし、当該電子部品のサイズと供給カセットの供給口の状態に基づき吸着ノズルを決定し、さらに、決定された吸着ノズルが複数ある場合は吸着ノズルをＮＣデータなどに照らして最適化する実施の形態に関するものである。
【００２７】
図１は、本発明の実施の形態に係る部品実装機１００を一部切り欠いてその内部をも示す外観斜視図である。
【００２８】
同図に示す部品実装機１００は、実装ラインに組み込むことができ、上流から受け取った基板に電子部品を装着し、下流に電子部品装着済みの基板である回路基板を送り出す装置であり、電子部品を真空吸着により保持する吸着ノズルを備え、吸着保持した電子部品を搬送し基板に装着することができる装着ヘッドを複数備えたマルチヘッド部１１０と、そのマルチヘッド部１１０を水平面方向に移動させるＸＹロボット１１３と、装着ヘッドに部品を供給する部品供給部１１５とを備えている。
【００２９】
この部品実装機１００は、具体的には、微少部品からコネクタまでの多様な電子部品を基板に装着することができる部品実装機であり、１０ｍｍ角以上の大型電子部品やスイッチ・コネクタ等の異形部品、ＱＦＰ（Quad Flat Package）・ＢＧＡ（Ball Grid Array）等のＩＣ部品を装着することができる高速多機能部品実装機である。
【００３０】
図２は、部品実装機１００の主要な内部構成を示す平面図である。
部品実装機１００はさらに、各種形状の部品種に対応するために装着ヘッド１１２（図３参照）に交換自在に取り付けられる交換用の吸着ノズルが置かれるノズルステーション１１９と、基板１２０搬送用の軌道を構成するレール１２１と、搬送された基板１２０が載置され電子部品が装着される装着テーブル１２２と、吸着保持した電子部品が不良の場合などに、当該部品を回収する部品回収装置１２３とを備えている。
【００３１】
また、部品供給部１１５は、部品実装機１００の前後に設けられており、テープ状に収納された電子部品を供給する供給カセットからなる部品供給部１１５ａと、部品の大きさに合わせて間仕切りをつけたプレートに収納される電子部品を供給する部品供給部１１５ｂとを有している。
【００３２】
図３は、マルチヘッド部１１０と供給カセットからなる部品供給部１１５ａの位置関係を模式的に示す斜視図である。
【００３３】
同図に示すように、マルチヘッド部１１０は、複数個の装着ヘッド１１２が備えられており、その先端部には吸着ノズル１１１が交換自在に備えられている。
【００３４】
このマルチヘッド部１１０は、次のようにして基板１２０に電子部品を実装する。すなわち、次に実装する電子部品とマルチヘッド部１１０に備えられている吸着ノズル１１１が適合していない場合には、マルチヘッド部１１０がノズルステーション１１９まで移動して、吸着ヘッド１１１を交換する。そして、マルチヘッド部１１０が部品供給部１１５ａの上方にまで移動し、それぞれの装着ヘッド１１２を降下させる、これにより装着ヘッド１１２の先端に設けられた吸着ノズル１１１がテープフィーダ１１４の供給口１１８を通過して電子部品を吸着保持する。次に、装着ヘッド１１２が上昇し、マルチヘッド部１１０ごと移動して電子部品を基板１２０上方の装着位置まで電子部品を搬送し、装着ヘッド１２０を下降させて基板１２０に電子部品を装着する。
【００３５】
一方、同図に示す部品供給部１１５aを構成する供給カセットは、同一部品種の複数の電子部品をキャリアテープ上に並べて収納する部品テープ１１６と、この部品テープ１１６を巻き付けて保持する供給リール１１７と、供給リール１１７から部品テープ１１６を必要に応じて送り出すと共に、部品テープ１１６から電子部品を取り出し、供給口１１８に電子部品を露出させるテープフィーダ１１４とを備えている。
【００３６】
本実施形態の場合、部品供給部１１５ａは、供給カセットをＺ軸方向に配列した状態で保持しており、部品切れなど必要に応じて個々の供給カセットを交換したり、部品テープ１１６と供給リール１１７とを交換したりすることができる構造となっている。
【００３７】
図４は、（ａ）吸着ノズル１１１の一つを例示する側面図、（ｂ）その下面図、（ｃ）参考としての電子部品の平面図である。
【００３８】
同図に示すように、吸着ノズル１１１の開口端１１１ａは、外周縁が円形であり、放射状に波打った形状の吸着口を備えており、外周縁の円形の中心と、吸着口の中心が一致している。さらに、吸着ノズル１１１の中心軸Ｎｃ上に前記中心が存在している。なお、同図は例示であり、吸着ノズル１１１の形状が同図により限定されることはない。
【００３９】
また、（ｂ）に記載されるＡは、吸着ノズル１１１の外径の半分、Ｂは、吸着口の半分を示している。
【００４０】
一方、（ｃ）は、部品の縦寸法がＸ、部品の横寸法がＹの矩形の電子部品を例示する図であって、同図（ａ）（ｂ）に示す吸着ノズル１１１の吸着対象の一例を示している。そして同図に表されている面が吸着面となり、そのほぼ中心に吸着面の中心Ｗｃがある。このＷｃは吸着面の幾何学的な対象点である。なお、この中心Ｗｃは重心などであっても構わない。
【００４１】
図５は、４種類のテープフィーダ１１４の供給口１１８の部分を示す平面図である。なお、同図の斜線はテープフィーダ１１４本体と供給口１１８とを区別するために付してあり、断面を示すものではない。
【００４２】
同図（ａ）〜（ｄ）に示すように、テープフィーダ１１４の供給口１１８は、ほぼ矩形と見なすことができる。しかし、吸着ノズル１１１が電子部品を吸着する際に供給口１１８と吸着ノズル１１１との位置関係の基準となる吸着中心Ｃは、供給口１１８の幾何学的な中心ではなく、供給口１１８に供給された電子部品の位置に依存する。つまり、供給口１１８に供給された電子部品の中心Ｗｃが供給口１１８の吸着中心Ｃとなる。
【００４３】
従って、単なる供給口１１８の形状と吸着ノズル１１１の形状とで干渉の有無を判断することはできない。例えば、（ｂ）に示すように、供給口１１８の大きさは吸着ノズル１１１を十分に挿通できるものであるが、吸着中心Ｃが供給口１１１の一辺に近いため吸着ノズル１１１と供給口１１８とは干渉することになる。
【００４４】
なお、Ｋａ〜Ｋｄは、それぞれに示される供給口１１８の吸着中心Ｃから最も近い供給口１１８周縁までの距離を示している。
【００４５】
図６は、吸着ノズル決定装置２００の機能構成を含む部品実装機１００の機能構成を示すブロック図である。
【００４６】
同図に示す吸着ノズル決定装置２００は、後述の部品ライブラリ、吸着ノズルライブラリ、カセットライブラリに基づき、装着する電子部品に対応する吸着ノズル１１１を決定しるコンピュータ装置であり、部品サイズ取得部２０１と、吸着ノズル選択部２０２と、供給口サイズ取得部２０３と、吸着ノズル決定部２０４と、データ記憶部２０５と、吸着ノズル最適化部２０６と、表示部３０２と、入力部３０３とを備えている。また、本実施形態の場合、この吸着ノズル決定装置２００は、部品実装機１００の内部に組み込まれている。
【００４７】
部品実装機１００はさらに、部品実装手段として機能する機構部１３１と、前記吸着ノズル決定装置２００で決定された実装条件を取得し、当該実装条件に基づき機構部１３１を制御する実装制御部１０１とを備えている。
【００４８】
部品サイズ取得部２０１は、データ記憶部２０５に記憶されている部品ライブラリ（図７）から電子部品のサイズ（Ｘ：部品の縦寸法、Ｙ：部品の横寸法、Ｔ：部品の厚み）を取得する処理部である。
【００４９】
吸着ノズル選択部２０２は、吸着ノズル１１１の吸着口全体が吸着する電子部品の吸着面で覆われる場合に、当該部品を吸着保持できる吸着ノズルであると判断する処理部である。具体的には、データ記憶部２０５に記憶されている吸着ノズルライブラリから吸着ノズルの内径（吸着口径）を取得し、前記部品サイズ取得部２０１から得られた部品の短辺長（Ｘの値とＹの値との小さい方）よりも吸着ノズルの内径が小さければ、当該部品を吸着保持できる吸着ノズル１１１であると判断するサイズ判断部（図示せず）により判断する。
【００５０】
本実施形態の場合、吸着ノズルの先端形状は円または円と近似できる形状であるため、吸着口径である内径と短辺長との比較で吸着ノズルを判断するが、円と近似できない場合は、吸着ノズル中心軸から吸着口周縁までの最も長い距離が、吸着する部品の吸着面の中心から吸着面の外縁までの最も短い距離よりも短い場合に選択する吸着ノズルであると判断する。
【００５１】
供給口サイズ取得部２０３は、データ記憶部２０５に記憶されているカセットライブラリ（図９）から、供給口のサイズ（吸着中心Ｃから最も近い供給口周縁までの距離：図９中サイズ）を取得する処理部である。
【００５２】
吸着ノズル決定部２０４は、前記吸着ノズル選択部２０２で選択された吸着ノズルの外径の半分（図４中のＡ）と前記取得された供給口のサイズ（図５中のＫａ〜Ｋｄ）を比較し、供給口のサイズよりも外半径が小さい場合は吸着ノズル１１１と供給口１１８周縁とが干渉しないと判断する干渉判断部（図示せず）を備え、干渉判断部が干渉しないと判断した吸着ノズルを供給カセットの供給口サイズに適合する吸着ノズルとして決定する処理部である。
【００５３】
データ記憶部２０５は、部品ライブラリ、吸着ノズルライブラリ、カセットライブラリなどを記憶するハードディスクドライブのような記憶装置である。また、このデータ記憶部２０５は、実装順序等のＮＣ（Numeric Control）データも記憶されている。なお、ＮＣデータとは、各種データベースに基づいて算出された電子部品の実装順序、実装点などに関するデータである。
【００５４】
吸着ノズル最適化部２０６は、吸着ノズル決定部２０４で決定された吸着ノズルが複数種類ある場合に、ＮＣデータなどを参照して、基板１２０に電子部品を実装する際に吸着ノズルの交換頻度が最小限となるように最適な吸着ノズルを決定する処理部である。例えば、吸着ノズル１１１のとりうる組み合わせの全てを確認し、その中で最も吸着ノズル１１１の交換頻度の低い吸着ノズル１１１の組み合わせを決定することにより、吸着ノズル１１１の最適化とすればよい。
【００５５】
表示部３０２はＣＲＴやＬＣＤ等であり、入力部３０３はキーボードやマウス、タッチパネル等である。これらは、部品実装機１００と操作者とが対話しつつ目標とする生産時間やその生産時間に生産すべき基板１２０の数の他、部品実装機１００の制御用データを入力する等のために用いられる。
【００５６】
図７は、データ記憶部２０５に記憶される部品ライブラリの一部を例示する図である。
同図に示す部品ライブラリは、部品実装機１００が扱うことができるすべての部品種それぞれについての固有の情報を集めたライブラリであり、部品種ごとの部品サイズやその他の制約情報（移動速度等）を含んでいる。
【００５７】
図８は、データ記憶部２０５に記憶される吸着ノズルライブラリを例示する図である。
同図に示す吸着ノズルライブラリは、吸着ノズル１１１の内径と外径（共に吸着ノズルにおける最大値）と吸着保持できる電子部品の最大の容量を含んでいる。本実施形態における吸着ノズル１１１は、電子部品の広い種類に対し汎用的に吸着保持できるため、吸着ノズル１１１自体の種類は４種類に抑えられている。なお、上記吸着ノズルライブラリはノズルが吸着保持できる限界の値を許容最大容量として規定しているが、この値は許容最大重量であっても良いし、その値自体がなくても良い。
【００５８】
図９は、データ記憶部２０５に記憶されるカセットライブラリを例示する図である。
同図に示すカセットライブラリは、電子部品が保持される部品テープ１１６の幅、テープフィーダ１１４が電子部品を供給口１１８に順次供給するために部品テープ１１６を送る量（ピッチ）、部品テープ１１６の種類、及び、吸着中心から供給口１１８内縁までの最も短い距離（サイズ）を含んでいる。なお、供給カセットは、原則として電子部品の種類が決まれば１対１で決まるが、その電子部品を製造するメーカが異なる場合は、同一種類の電子部品でも、供給カセットの仕様が異なる場合がある。
【００５９】
次に、上記構成の吸着ノズル決定装置２００等の処理動作を説明する。
図１０は、吸着ノズル決定装置２００等の処理動作を示すフローチャートである。
【００６０】
まず、吸着ノズル決定装置２００は、事前に作成されたＮＣデータを取得する（Ｓ９０１）。そして、得られたＮＣデータと部品ライブラリ（図７）とから、基板１２０に実装する電子部品のサイズを部品サイズ取得部２０１が取得する（Ｓ９０２）。
【００６１】
次に、吸着ノズル選択部２０２は、電子部品のサイズ（Ｘ：部品の縦寸法、Ｙ：部品の横寸法）と、吸着ノズルライブラリ（図８）から取得した吸着ノズル１１１の内径とを比較判断する。具体的には、電子部品のサイズ（Ｘ：部品の縦寸法、Ｙ：部品の横寸法）の短い方を短辺長として、当該短辺長よりも吸着ノズルの内径（例えば、図４中のＢの２倍）が小さければ、当該部品を吸着保持できる吸着ノズルであると判断し当該吸着ノズルを選択し（Ｓ９０３）、そのデータを保持しておく。この段階では、選択される吸着ノズル１１１は複数個となる場合がある。
【００６２】
次に、供給口サイズ取得部２０３は、選択された吸着ノズル１１１が複数あるか否かを判定し（Ｓ９０４）、選択された吸着ノズルが複数ある場合は（Ｓ９０４：Ｙ）は、カセットライブラリから前記電子部品を供給するテープフィーダ１１４の供給口１１８サイズ（例えば、図５中Ｋａ〜Ｋｄ）を取得する（Ｓ９０５）。なお、テープフィーダ１１４の供給口１１８の形状は、原則として電子部品と１対１で決定される。
【００６３】
そして、吸着ノズル決定部２０４は、取得した供給口１１８のサイズ（例えば、図５中Ｋａ〜Ｋｄ）より吸着ノズルライブラリから取得した吸着ノズル１１１の外半径（例えば、図４中のＡ）が短いか否かにより干渉の有無を判断し、干渉しないと判断された吸着ノズル１１１は、使用可能な吸着ノズル１１１であるとして決定される（Ｓ９０６）。なお、この段階でも決定される吸着ノズル１１１は複数個となる場合がある。
【００６４】
一方、選択された吸着ノズルが単数の場合は（Ｓ９０４：Ｎ）は、カセットライブラリから前記電子部品を供給するテープフィーダ１１４の供給口１１８サイズ（例えば、図５中Ｋａ〜Ｋｄ）を取得し（Ｓ９０８）、吸着ノズル１１１と供給口１１８とが干渉するか否かを判断する（Ｓ９０９）。干渉しない（Ｓ９０９：Ｎ）と判断すれば、そのままその吸着ノズルは採用され、干渉する（Ｓ９０９：Ｙ）と判断すれば、電子部品の種類を明示した警告を表示し、次のステップに移る。
【００６５】
なお、実際問題として部品形状により選択された全吸着ノズル１１１が供給口１１８との干渉により使用できないと判断されることは通常ないが、突発的な部品の変更や供給カセット１１４の変更により、当該自体が発生することは想定される。そして、適合する吸着ノズル１１１がない場合に事前に警告が発せられるため好ましい。
【００６６】
そして、装着対象の電子部品すべてについて前記Ｓ９０２〜Ｓ９０６のステップを繰り返し、装着するすべての電子部品に対して供給口１１８の大きさを加味して吸着保持可能な吸着ノズル１１１を決定する。
【００６７】
次に、決定された吸着ノズル１１１が複数ある電子部品については、いずれの種類の吸着ノズル１１１で吸着するかを最終決定するために、吸着ノズル１１１の最適化を行う（Ｓ９０７）。
【００６８】
この最適化は、電子部品を実装する際に最も吸着ノズル１１１の交換頻度が少なくなる様に吸着ノズル１１１を決定することにより行う。
【００６９】
以上により、広い種類の電子部品を吸着保持できる吸着ノズルを使用して、吸着ノズル１１１の交換頻度を低下させ、基板１２０の生産性を向上させることができると共に、前記汎用性の高い吸着ノズルを使用することにより発生する供給カセットの供給口との干渉を回避することができる。
【００７０】
さらに、部品ライブラリと、吸着ノズルライブラリと、カセットライブラリとは正規化されており、突発的に形状の異なる電子部品や供給口を使用しなければならない場合においても柔軟に吸着ノズルを決定することが可能となる。加えて、ＮＣデータに基づき必要な電子部品についてのみ吸着ノズルを決定するため、高速に吸着ノズルを決定することが可能となる。
【００７１】
また、供給口と干渉しない吸着ノズルが複数存在する場合には、吸着ノズルの交換頻度が低下する吸着ノズルを使用するため、さらに、回路基板のスループットを向上させることが可能となる。
【００７２】
なお、本実施形態では電子部品を実際に基板に実装する前に使用する吸着ノズルを決定したが、実装途中で電子部品が交換され、供給口の形状が変更された場合は、再度吸着ノズルを決定しても構わない。この場合、供給口サイズの取得は、データ記憶部に記憶されたカセットライブラリから取得するのではなく、供給カセットに設けられているＩＣタグから直接取得するものでも良い。
【００７３】
この場合、部品実装機１００の生産中に電子部品の交換が発生し、交換前後の供給カセットの供給口の形状が変わった場合にでも、動的に対応することが可能となり、電子部品の吸着ミスや吸着ノズルの破損を回避することが可能となる。
【００７４】
また、最適化は必ずしも実行する必要はなく、例えば、決定された吸着ノズルが複数ある場合は、吸着ノズルの内径が最も小さいものを使用するとしても良い。その場合、部品ライブラリのみ存在すればＮＣデータは必ずしも必要ではない。
【００７５】
また、吸着ノズル決定装置２００を部品実装機１００内部に備えるものとしたが、吸着ノズル決定装置２００が部品実装機１００から独立した存在しても良い。また、この場合、吸着ノズル決定装置２００が部品実装機１００と情報を共有できるようにネットワークなどで接続されていても良い。
【００７６】
また、吸着ノズル決定装置２００は部品実装機から独立した構成で、ＮＣデータを入力すれば単独でノズルの決定処理を行うものであっても良い。
【００７７】
（実施の形態２）
次に、他の実施形態を図面に基づき説明する。本実施形態は、部品実装機１００の特定の実装条件（ＮＣデータ）に限定されることなく広い範囲の電子部品の種類と吸着ノズルとの対応関係を吸着ノズルが吸着保持できる電子部品の大きさ（重量）を含めて事前に決定することができる吸着ノズル決定装置に関するものである。
【００７８】
図１１は、前記吸着ノズル決定装置３００の機能構成を示すブロック図である。
本実施形態の場合、吸着ノズル決定装置３００は、部品実装機とは分離され、単独で電子部品に対し吸着保持可能な吸着ノズルを決定することができる装置であり、部品サイズ取得部２０１と、吸着ノズル選択部２０２と、供給口サイズ取得部２０３と、吸着ノズル決定部２０４と、データ記憶部２０５と、表示部３０２と、入力部３０３とを含んでいる。なお、前記実施の形態１と同様の機能を有する処理部については、その説明を省略する。
【００７９】
部品サイズ取得部２０１は、データ記憶部２０５に記憶される部品ライブラリから電子部品のデータ（Ｘ：部品の縦寸法、Ｙ：部品の横寸法、Ｔ：部品の厚み）を取得し、電子部品のおおよその体積をＸとＹとＴとを掛けあわせる計算により取得する。
【００８０】
吸着ノズル選択部２０２は、前記実施形態と同様に電子部品のデータ（Ｘ：部品の縦寸法、Ｙ：部品の横寸法）とノズルライブラリのデータから吸着保持できる吸着ノズル１１１を選択した後、前記電子部品の体積が、ノズルライブラリのデータとして記憶されている許容最大容量よりも大きい場合は、電子部品の搬送中にずれや落下が発生する可能性が高いとして、当該吸着ノズルを選択から除外する処理部である。
【００８１】
次に、本実施形態に係る吸着ノズル決定装置３００の処理動作を説明する。
図１２は、本実施形態に係る吸着ノズル決定装置３００の処理動作を示すフローチャートである。
【００８２】
吸着ノズル決定装置３００の部品サイズ取得部２０１は、部品ライブラリから、電子部品のサイズを取得すると共に、電子部品の体積を計算により取得する（Ｓ１１０１）。
【００８３】
次に、吸着ノズル選択部２０２は、電子部品のサイズ（Ｘ：部品の縦寸法、Ｙ：部品の横寸法）と、吸着ノズルライブラリから取得した吸着ノズル１１１の内径とを比較判断する。具体的には、電子部品のサイズ（Ｘ：部品の縦寸法、Ｙ：部品の横寸法）の短い方を短辺長として、当該短辺長よりも吸着ノズルの内径が小さければ、当該部品を吸着保持できる吸着ノズルであると判断し当該吸着ノズルを選択する（Ｓ１１０２）。
【００８４】
さらに、吸着ノズル選択部２０２は、吸着ノズルライブラリの許容最大容量と電子部品の体積を比較し、当該体積が許容最大容量よりも大きければ（Ｓ１１０３：Ｙ）、当該吸着ノズルを選択から削除する（Ｓ１１０４）。
【００８５】
次に、供給口サイズ取得部２０３は、選択された吸着ノズル１１１が複数あるか否かを判定し（Ｓ１１０５）、選択された吸着ノズルが複数ある場合は（Ｓ１１０５：Ｙ）は、カセットライブラリから前記電子部品を供給するテープフィーダ１１４の供給口１１８サイズを取得する（Ｓ１１０６）。
【００８６】
そして、吸着ノズル決定部２０４は、取得した供給口１１８のサイズより吸着ノズルライブラリから取得した吸着ノズル１１１の外半径が短いか否かにより干渉の有無を判断し、干渉しないと判断された吸着ノズル１１１は、使用可能な吸着ノズル１１１であるとして決定される（Ｓ１１０７）。なお、この段階でも決定される吸着ノズル１１１は複数個となる場合がある。
【００８７】
一方、選択された吸着ノズルが単数の場合は（Ｓ１１０５：Ｎ）は、カセットライブラリから前記電子部品を供給するテープフィーダ１１４の供給口１１８サイズを取得し（Ｓ１１０８）、吸着ノズル１１１と供給口１１８とが干渉するか否かを判断する（Ｓ１１０９）。干渉しない（Ｓ１１０９：Ｎ）と判断すれば、そのままその吸着ノズルは採用され、干渉する（Ｓ１１０９：Ｙ）と判断すれば、電子部品の種類を明示した警告を表示し（Ｓ１１１０）、次のステップに移る。
【００８８】
そして、部品ライブラリにある電子部品すべてについて前記Ｓ１１０１〜Ｓ１１０７のステップを繰り返し、電子部品に対して供給口１１８の大きさ及び体積を加味して吸着保持可能な吸着ノズル１１１を決定する。
【００８９】
なお、上記で決定された電子部品と吸着ノズルとに関するテーブルは、データ記憶部２０５や可搬の記録媒体に記憶され、例えば実装時に部品実装機が当該テーブルを参照し実装に必要な吸着ノズルを最終的に決定する。
【００９０】
以上により、図１３に示すような、電子部品とこれに対応する吸着ノズル１１１の種類がひもづけられたテーブルが作成される。
【００９１】
上記のような吸着ノズル決定装置を用いれば、部品ライブラリにある全ての電子部品について、電子部品と吸着ノズルとの対応関係を示すテーブルを供給カセットの供給口の状態を加味して事前に作成することが可能となる。
【００９２】
従って、いろいろな種類の部品実装機に対しても、当該テーブルを参照するだけで電子部品の種類に対応した使用可能な吸着ノズルの種類を容易かつ汎用的に取得することができ、さらに、ＮＣデータに基づき容易に吸着ノズル交換頻度の少ない実装条件を作成するような最適化を行うこともできる。
【００９３】
なお、前記吸着ノズル決定装置を部品実装機と分離した状態で説明したが、本願発明はこれに限定されるわけではなく、吸着ノズル決定装置が部品実装機に備えられていても構わない。そして、電子部品と対応する吸着ノズルからなるテーブルを事前に部品実装機内で作成保持しておけば、異なる種類の基板を実装する場合にも柔軟かつ自律的に最適化を図ることが可能となる。
【００９４】
また、実施の形態２のみ部品の体積や重量をさらに考慮して吸着ノズルの決定する説明をしているが、当該考慮を実施の形態１に適用して吸着ノズルを決定しても良いのは勿論である。
【産業上の利用可能性】
【００９５】
本発明は、部品実装機に用いられる吸着ノズルの決定に適用でき、特にノズルの種類を実装条件として最適化する実装条件の決定等に適用できる。
【図面の簡単な説明】
【００９６】
【図１】本発明の実施の形態に係る部品実装機を一部切り欠いて内部を示す外観斜視図である。
【図２】部品実装機の主要な内部構成を示す平面図である。
【図３】マルチヘッド部と部品供給部の位置関係を模式的に示す斜視図である。
【図４】（ａ）吸着ノズルを示す側面図、（ｂ）吸着口を示す下面図、（ｃ）参考としての電子部品を示す平面図である。
【図５】４種類のテープフィーダの供給口と吸着ノズルの干渉状態を示す図である。
【図６】実装条件決定装置の機能構成を含む部品実装機の機能構成を示すブロック図である。
【図７】データ記憶部に記憶される部品ライブラリを例示する図である。
【図８】データ記憶部に記憶される吸着ノズルライブラリを例示する図である。
【図９】データ記憶部に記憶されるカセットライブラリを例示する図である。
【図１０】実装条件決定装置等の処理動作を示すフローチャートである。
【図１１】本実施形態に係る吸着ノズル決定装置の機能構成を示すブロック図である。
【図１２】本実施形態に係る吸着ノズル決定装置の処理動作を示すフローチャートである。
【図１３】本実施形態で作成されるテーブルを例示する図である。
【図１４】従来の部品ライブラリを示す図である。
【符号の説明】
【００９７】
１００  部品実装機
１０１  実装制御部
１１０  マルチヘッド部
１１１  吸着ノズル
１１２  装着ヘッド
１１３  ＸＹロボット
１１４  テープフィーダ
１１５  部品供給部
１１６  部品テープ
１１７  供給リール
１１８  供給口
１１９  ノズルステーション
１２０  基板
１２１  レール
１２２  装着テーブル
１２３  部品回収装置
１３１  機構部
２００  吸着ノズル決定装置
２０１  部品サイズ取得部
２０２  吸着ノズル選択部
２０３  供給口サイズ取得部
２０４  吸着ノズル決定部
２０５  データ記憶部
２０６  吸着ノズル最適化部
３００  吸着ノズル決定装置
３０２  表示部
３０３  入力部
３０４  メモリ部
【図１】
2006339531.tif 000003
【図２】
2006339531.tif 000004
【図３】
2006339531.tif 000005
【図４】
2006339531.tif 000006
【図５】
2006339531.tif 000007
【図６】
2006339531.tif 000008
【図７】
2006339531.tif 000009
【図８】
2006339531.tif 000010
【図９】
2006339531.tif 000011
【図１０】
2006339531.tif 000012
【図１１】
2006339531.tif 000013
【図１２】
2006339531.tif 000014
【図１３】
2006339531.tif 000015
【図１４】
2006339531.tif 000016